(57)【要約】【課題】自動改札機に一方側から近づくだけで他方側からの通行を不許可とする両方向通行可能な自動改札機を提供する。【解決手段】自動改札機１は、Ａ方向からの通行者と、Ｂ方向からの通行者とを通過させる両方向通行可能な自動改札機であり、Ａ方向から近づいてくる通行者と、Ｂ方向から近づいてくる通行者を検知する人検知センサ５Ａ（５Ｂ）が設けられている。また、Ａ方向からの通行者と、Ｂ方向からの通行者に対して報知を行う表示部６Ａ（６Ｂ）、天井表示部８Ａ（８Ｂ）が設けられており、例えば、Ａ方向からの通行者を人検知センサ５Ａが検知すると、表示部６Ｂ、天井表示部８Ｂに通行不許可の旨の表示を行う。【選択図】      図１
2007108817.tif 000002
【特許請求の範囲】
【請求項１】
通路の第１の方向からの通行者と、第１の方向とは反対の第２の方向からの通行者とを通過させる両方向通行可能な自動改札機において、
該第１の方向から該自動改札機に近づいてくる通行者を検知する第１の人検知センサと、
該第２の方向から該自動改札機に近づいてくる通行者を検知する第２の人検知センサと、
該第１の方向からの通行者に対して報知を行う第１の表示手段と、
該第２の方向からの通行者に対して報知を行う第２の表示手段と、を有し、
該第１の人検知センサが該自動改札機に近づいてくる通行者を検知したときは該第２の表示手段により第２の方向からの通行者に対して報知を行い、
該第２の人検知センサが該自動改札機に近づいてくる通行者を検知したときは該第１の表示手段により第１の方向からの通行者に対して報知を行うことを特徴とする自動改札機。
【請求項２】
該第１の表示手段により第１の方向からの通行者に対して行う報知の内容、及び、該第２の表示手段により第２の方向からの通行者に対して行う報知の内容は、通行不許可であることを特徴とする請求項１に記載の自動改札機。
【請求項３】
該第１の表示手段、及び、該第２の表示手段は、該自動改札機に内蔵されていることを特徴とする請求項１又は請求項２に記載の自動改札機。
【請求項４】
該第１の表示手段、及び、該第２の表示手段は、天井部に設けられていることを特徴とする請求項１乃至請求項３のいずれかに記載の自動改札機。
【請求項５】
該第１の方向からの通行者の進入を阻止する第１のドアと、
該第２の方向からの通行者の進入を阻止する第２のドアと、を有し、
該第１の人検知センサが該自動改札機に近づいてくる通行者を検知したときは該第２のドアを閉じ、
該第２の人検知センサが該自動改札機に近づいてくる通行者を検知したときは該第１のドアを閉じることを特徴とする請求項１乃至請求項４のいずれかに自動改札機。
【発明の詳細な説明】
【技術分野】
【０００１】
本発明は、駅の出改札口に設置されて乗車券又は定期券等の記録媒体の改札或いは集札を行う自動改札機に関する。
【背景技術】
【０００２】
駅の出改札口設置される自動改札機には、入場専用機、出場専用機の一方向の通行を想定して設計されているものに加え、入場出場両用機のように両方向の通行を想定して設計されているものもある。このような入場出場両用タイプの自動改札機は、設置スペースの関係で、十分な台数の入場専用機、出場専用機が設置できない場合等に利用されるが、本来的には、入場専用機、出場専用機のみが用いられることが理想的である。というのは、入場出場両用タイプの自動改札機では、入場しようとする乗客と出場しようとする乗客とが、ほぼ同時に自動改札機を通過しようとする、はち合わせ状況が起こり、旅客の流れが滞るからである。
【０００３】
このような状況を改善するために、特許文献１（特開２００４−２７２８４３号公報）には、通路における一方の方向への通行可否を判定する自動改札機と、該通路における他方の方向への通行可否を判定する自動改札機と、が該通路を挟んで対向して配置され、各自動改札機に、本体表面に設けられたアンテナ部の無線通信エリア内に位置する非接触媒体から通路の通行可否判定に用いる通行可否判定情報を無線通信により取得する無線通信手段、および該無線通信手段により取得した通行可否判定情報を用いて、該通路の通行可否を判定する通行可否判定手段、を備えた自動改札システムにおいて、各自動改札機には、上記アンテナ部の近傍に、突出自在に取り付けられた突出部材を突出状態と非突出状態との間で駆動する駆動手段が備えられ、上記突出部材は、突出状態であるとき、その先端部が上記アンテナ部の表面よりも突出し、上記駆動手段は、他方の自動改札機が上記無線通信手段により非接触媒体との無線通信を開始したとき上記突出部材を突出状態に移行させ、この非接触媒体にかかる処理を完了したときに上記突出部材を非突出状態に移行させる自動改札システムが開示されている。
【特許文献１】特開２００４−２７２８４３号公報
【発明の開示】
【発明が解決しようとする課題】
【０００４】
しかしながら、特許文献１に開示されている自動改札システムでは、通行者が非接触媒体をアンテナ部にかざすタイミングによって、どちらの方向からの通行が許可されるかが決定する、言わば早い者勝ち方式となっている。このような方式となっているために、一方側から入場しようとしている旅客が非接触媒体をアンテナ部にかざそうとした瞬間に、例えば、他方側から走ってきた旅客に、先を越されてアンテナ部に非接触媒体をかざされると、一方側から入場しようとしている旅客は進入できなくなり、他の自動改札機へまわるか、他方側からの旅客が出場するまで待たなくてはならない状況となる。
【０００５】
ここで、もし、一方側から入場しようとしている旅客が、体の不自由な人やお年寄りである場合には、アンテナ部に非接触媒体をかざさす動作は、比較的ゆっくりとしているために、次々とやってくる他方側からの旅客に自動改札機が占有されることとなり、他方側からの旅客の流れが途切れるまで待たなくてはならないというようなこととなってしまう。
【０００６】
なお、このような状況は、非接触媒体を利用して通行許可判定が行われる自動改札機に限らず、磁気情報が記録された乗車券を利用するものにおいても起こり得ることである。
【課題を解決するための手段】
【０００７】
このような課題を解決するために、請求項１に係る発明は、通路の第１の方向からの通行者と、第１の方向とは反対の第２の方向からの通行者とを通過させる両方向通行可能な自動改札機において、該第１の方向から該自動改札機に近づいてくる通行者を検知する第１の人検知センサと、該第２の方向から該自動改札機に近づいてくる通行者を検知する第２の人検知センサと、該第１の方向からの通行者に対して報知を行う第１の表示手段と、該第２の方向からの通行者に対して報知を行う第２の表示手段と、を有し、該第１の人検知センサが該自動改札機に近づいてくる通行者を検知したときは該第２の表示手段により第２の方向からの通行者に対して報知を行い、該第２の人検知センサが該自動改札機に近づいてくる通行者を検知したときは該第１の表示手段により第１の方向からの通行者に対して報知を行うことを特徴とする。
【０００８】
また、請求項２に係る発明は、請求項１に記載の自動改札機において、該第１の表示手段により第１の方向からの通行者に対して行う報知の内容、及び、該第２の表示手段により第２の方向からの通行者に対して行う報知の内容は、通行不許可であることを特徴とする。
【０００９】
また、請求項３に係る発明は、請求項１又は請求項２に記載の自動改札機において、該第１の表示手段、及び、該第２の表示手段は、該自動改札機に内蔵されていることを特徴とする。
【００１０】
また、請求項４に係る発明は、請求項１乃至請求項３のいずれかに記載の自動改札機において、該第１の表示手段、及び、該第２の表示手段は、天井部に設けられていることを特徴とする。
【００１１】
また、請求項５に係る発明は、請求項１乃至請求項４のいずれかに自動改札機において、該第１の方向からの通行者の進入を阻止する第１のドアと、該第２の方向からの通行者の進入を阻止する第２のドアと、を有し、該第１の人検知センサが該自動改札機に近づいてくる通行者を検知したときは該第２のドアを閉じ、該第２の人検知センサが該自動改札機に近づいてくる通行者を検知したときは該第１のドアを閉じることを特徴とする。
【発明の効果】
【００１２】
本発明では、アンテナ部に非接触式ＩＣカードをかざしたり、切符を挿入口に挿入したりするまでもなく、一方側から自動改札機を通過しようと近づいていくだけで、他方側からの通過を不許可とする報知を行うように制御される。このため、体の不自由な人やお年寄りが、まず自動改札機１に近づき、ゆっくりと入場、出場のためにアンテナ部に非接触式ＩＣカードをかざしたり、切符を挿入口に挿入したりしようとしても、他方側からの旅客に一方的に自動改札機が占有されるという事態がなくなる。
【発明を実施するための最良の形態】
【００１３】
以下、本発明の実施の形態を図面を参照しつつ説明する。図１は、本発明の実施の形態に係る自動改札機の外観図である。この実施の形態の自動改札機１は、入場出場両用タイプの自動改札機であり、通路における一方の方向（図中に示すＡ方向）への通行と、通路における他方の方向（図中に示すＢ方向）への通行が想定されている。この自動改札機１は、Ａ方向への通行者の改札・集札を行う１Ａ及びＢ方向への通行者の改札・集札を行う１Ｂに分かれている。
【００１４】
図１において、２Ａは非接触式ＩＣカードとの無線通信用のアンテナであり、通路入口側の本体上面に設けられている。３Ａは、磁気情報が記録された入場券、定期券の挿入口である。挿入口３Ａに投入された定期券、乗車券は、所定の処理がなされた上で自動改札機１のもう一方の側の排出口４Ａから排出されたりする。このように本発明の自動改札機１では、非接触式ＩＣカード、磁気情報が記録された定期券、乗車券等の両方を扱えるようになっている。
【００１５】
６Ａは、自動改札機１のＡ方向への通行者に対して、通行許可・不許可を表示する表示部であり、５Ａは自動改札機１にＡ方向から近づいてくる通行者を検知する人検知センサである。このように自動改札機１Ａに設けられたアンテナ２Ａ、挿入口３Ａ、表示部６Ａは、Ｂ方向への通行者の改札・集札を行う自動改札機１Ｂにも同様の構成で設けられている。なお、自動改札機１Ｂに設けられたこれらの構成は、それぞれ２Ｂ、３Ｂ、６Ｂなどと呼ぶこととする。自動改札機１Ａにおける通行方向下流側には、通行者に対して非接触式ＩＣカードの残額などの種々の情報を案内する案内表示部７Ａが設けられている。
【００１６】
９、１０は、通路の通行を制限するドアである。自動改札機１は、これらのドア９、１０は別々に開閉制御することができる。８Ａ、８Ｂは、天井部に据え付けられ、通行者に対して通行許可・不許可を表示する天井表示部である。天井表示部８ＡはＡ方向への通行者に対して報知を行い、天井表示部８Ｂは、Ｂ方向への通行者に対して行う。
【００１７】
図2は、本発明の実施の形態に係る自動改札機１の構成を概略的に示すブロック図である。図２に示すように、自動改札機１は、非接触式ＩＣカード、券類に記録された券類情報に基づいて改札・集札処理を行なう改札・集札手段として機能するとともに制御信号を出力する信号出力手段として機能するＣＰＵ２０を備えている。なお、当該ブロック図においては、定期券、乗車券を取り扱う制御機構・制御回路の図示は省略した。
【００１８】
このＣＰＵ２０には、メモリ１１が接続されている。このメモリ１１は、ＣＰＵ２０の制御プログラムを記憶しているＲＯＭ、非接触式ＩＣカード、券類から読み取った券類情報を一時的に記憶するとともに制御プログラムのバッファとして情報を記憶するＲＡＭ、入場駅からこの自動改札機１の設置駅までの改札処理に必要な運賃情報を記憶した運賃メモリなどを備えて構成されている。
【００１９】
また、ＣＰＵ２０には、非接触式ＩＣカードのリーダライタ部１２、センサ回路１３、ドア制御回路１４、通過検知回路１５、表示制御回路１６〜１８、通信制御部１９が接続されている。
【００２０】
通信手段として機能するリーダライタ部１２は、非接触式ＩＣカードとの間で無線通信を行うアンテナ２を備えている。すなわち、このリーダライタ部１２は、ＣＰＵ２０による制御に基づいて、アンテナ２の交信エリア内にかざされた非接触ＩＣカードと交信し、非接触式ＩＣカードから所定の券類情報を読み取るとともに、非接触式ＩＣカードに対して所定の券類情報、例えば入場記録情報や出場記録情報、精算処理後の残額に対応した金額情報などを記録する。
【００２１】
センサ回路１３には、人検知センサ５が接続されている。この人検知センサ５は、自動改札機１に近づいてくる人の検知を行う。人検知センサ５の検知エリア内に通行者が入ったときにセンサ回路１３が、ＣＰＵ２０と交信し、その旨をＣＰＵ２０に報知する。ＣＰＵ２０は、当該報知に基づき、後述するような制御を行う。
【００２２】
ドア制御回路１４には、ドア９、１０が接続されている。このドア制御回路１４は、ＣＰＵ２０による制御に基づいて、ドア９、１０の開閉動作を制御する。ドア９、１０は、通路を閉鎖することにより、通行者の通行を阻止する。
【００２３】
通過検知回路１５には、複数の人間検知センサ等の各種センサ２１が接続されている。人間検知センサ等の各種センサ２１は、通路を通行する通行者を検知するために必要な検知信号を出力する。通過検知回路１５は、ＣＰＵ２０による制御に基づいて、人間検知センサ等の各種センサ２１から出力された検知信号に基づいて利用者の通過状態を検知する。
【００２４】
表示制御回路１６には、案内表示手段として機能する表示部６が接続されている。この表示制御回路１６は、ＣＰＵ２０による制御に基づいて、表示部６による表示を制御する。表示部６は、通行許可又は不許可に対応する旨の案内を表示する。
【００２５】
表示制御回路１７には、案内表示部７が接続されている。この表示制御回路１７は、ＣＰＵ２０による制御に基づいて、案内表示部７による表示を制御する。案内表示部７は、非接触ＩＣカードの残額などの種々の情報を表示する。
【００２６】
表示制御回路１８には、案内表示手段として機能する天井表示部８が接続されている。この表示制御回路１８は、ＣＰＵ２０による制御に基づいて、天井表示部８による表示を制御する。天井表示部８は、通行許可又は不許可に対応する旨の案内を表示する。なお、天井表示部８による表示は、表示部６による表示と同様のものである。
【００２７】
通信制御部１９は、通信回線を介してホストコンピュータ等に接続されている。この通信制御部１９は、ＣＰＵ２０の制御に基づいて、ホストコンピュータ等に対して所定の信号を出力するとともに、ホストコンピュータ等からの所定の信号の入力を受け付ける。このようなホストコンピュータは、複数の自動改札機１を総括的に制御するために利用される。
【００２８】
次に、図３及び図４を参照しつつ本発明の実施の形態に係る自動改札機１の動作について説明する。図2及び図3は、自動改札機１を上部から見下ろした様子を示しており、あわせて表示部４、天井表示部８、９の様子も示している。なお、以下に示す自動改札機１の動作は、上述したＣＰＵ２０の制御により行われる。
【００２９】
図３の自動改札機１の状態は、Ａ方向からの通行者も、Ｂ方向からの通行者もいないときのものを示している。この状態では、どちらの方向からも通行者の通過を許可する状態となっており、ドア６、７は開いている状態となっている。また、自動改札機１の表示部６、７及び天井表示部８、９は共に、通行許可を意味する、例えば○印が表示されている。
【００３０】
図４は、自動改札機１にどちらか一方から、通行者が近づいてきたときの自動改札機１の状態を示している。ここでは、Ａ方向から通行者が近づいてくる場合に、Ｂ方向からの通行者に対して報知するケースにつき説明するが、Ｂ方向から通行者が近づいてくる場合に、Ａ方向からの通行者に対して報知するケースについても同様の動作を行うものである。
【００３１】
人検知センサ５が自動改札機１に近づいてくる通行者を検知したとき、センサ回路１３がその旨をＣＰＵ２０に報知する。報知を受けたＣＰＵ２０は、表示制御回路１６、１８に、Ｂ方向からの通行者に対して通行不許可を意味する、例えば×印の表示を表示部６Ｂ、天井表示部８Ｂに表示させるよう指示する。また、ＣＰＵ２０は、ドア制御回路１４に対して指令し、この指令を受けたドア制御回路１４はＢ方向からの通行者の進入を阻止するようドア１０を閉じる制御を行う。あわせて、ＣＰＵ２０は、リーダライタ部１２に対して、アンテナ２Ｂでの非接触式ＩＣカードとの交信を行わないように指令する。このようにすることより、Ｂ方向からの通行者は、完全に自動改札機１の通路に進入することができない。
【００３２】
本発明の自動改札機１は、このように構成されており、アンテナ部に非接触式ＩＣカードをかざしたり、切符を挿入口に挿入したりするまでもなく、一方側から自動改札機１を通過しようと近づいていくだけで、他方側からの通過を不許可とする報知を行うように制御される。このため、体の不自由な人やお年寄りが、まず自動改札機１に近づき、ゆっくりと入場、出場のためにアンテナ部に非接触式ＩＣカードをかざしたり、切符を挿入口に挿入したりしようとしても、他方側からの旅客に一方的に自動改札機１が占有されるという事態がなくなる。
【図面の簡単な説明】
【００３３】
【図１】本発明の実施の形態に係る自動改札機の外観図である。
【図２】本発明の実施の形態に係る自動改札機の構成を概略的に示すブロック図である。
【図３】本発明の実施の形態に係る自動改札機の動作を説明する図である。
【図４】本発明の実施の形態に係る自動改札機の動作を説明する図である。
【符号の説明】
【００３４】
１・・・自動改札機、２・・・アンテナ、３Ａ・・・挿入口、４Ｂ・・・排出口、５Ａ・・・人検知センサ、６Ａ・・・表示部、７Ａ・・・案内表示部、８Ａ、８Ｂ・・・天井表示部、９、１０・・・ドア、１１・・・メモリ、１２・・・リーダライタ部、１３・・・センサ回路、１４・・・ドア制御回路、１５・・・通過検知回路、１６、１７、１８・・・表示制御回路、１９・・・通信制御部、２０・・・ＣＰＵ、２１・・・各種センサ
【図１】
2007108817.tif 000003
【図２】
2007108817.tif 000004
【図３】
2007108817.tif 000005
【図４】
2007108817.tif 000006